(57)【要約】基板（２０）、複数の発光ユニット（２１）、対応するトランジスタユニット（２２）及びコンデンサユニット（２３）を備えるディスプレイアセンブリ（２）。発光ユニット（２１）、対応するトランジスタユニット（２２）及びコンデンサユニット（２３）は、基板（２０）の一方の面に別個に設けられ、発光ユニット（２１）は、対応するトランジスタユニット（２２）及びコンデンサユニット（２３）に電気的に接続される。また、発光ユニット（２１）間の間隔（Ｌ１）は、少なくとも２つの第１の臨界長である。ディスプレイアセンブリ（２）及びコリメートアセンブリ（３）を備えるディスプレイ装置（４）であって、コリメートアセンブリ（３）は、複数のコリメートユニット（３１）を備え、コリメートユニット（３１）は円の形状を有し、特定の直径（ｒ）を有し、直径（ｒ）は、少なくとも２つの第２の臨界長であり、コリメートユニット（３１）間の間隔は少なくとも４００ｎｍである、ディスプレイ装置（４）。【選択図】図２Ａ
2021520523.tif 000002
【特許請求の範囲】
【請求項１】
ディスプレイアセンブリであって、
基板、
複数の発光ユニット、並びに、
前記複数の発光ユニットのそれぞれに対応するトランジスタユニット及びコンデンサユニット、を備え、
前記複数の発光ユニット並びに前記対応するトランジスタユニット及びコンデンサユニットのそれぞれは、前記基板の面に独立して設けられ、
前記複数の発光ユニットのそれぞれは、前記対応するトランジスタユニット及び前記コンデンサユニットに電気的に結合され、
前記複数の発光ユニットのそれぞれの間の間隔は、第１の閾値長さの少なくとも２倍であることを特徴とする、
ディスプレイアセンブリ。
【請求項２】
前記複数の発光ユニットは、第１の辺及び第２の辺を有する矩形の形状を有し、前記第１の辺は前記第２の辺よりも小さいか又は等しく、前記第１の閾値長さは前記第１の辺の長さに等しいことを特徴とする、請求項１に記載のディスプレイアセンブリ。
【請求項３】
前記複数の発光ユニットは、直径を有する円の形状を有し、前記第１の閾値長さは前記直径の長さに等しいことを特徴とする、請求項１に記載のディスプレイアセンブリ。
【請求項４】
前記複数の発光ユニットは、対称軸を有する多角形の形状を有し、前記第１の閾値長さは、前記対称軸の長さに等しいことを特徴とする、請求項１に記載のディスプレイアセンブリ。
【請求項５】
前記複数の発光ユニットは、矩形、円及び／又は多角形の形状を有し、前記矩形は第１の辺及び第２の辺を有し、前記第１の辺は前記第２の辺よりも小さいか又は等しく、前記円は直径を有し、前記多角形は対称軸を有し、前記第１の閾値長さは、前記第１の辺の長さ、前記直径の長さ及び前記対称軸の長さの最も短いものに等しいことを特徴とする、請求項１に記載のディスプレイアセンブリ。
【請求項６】
前記複数の発光ユニットのそれぞれは、１つ又は複数の赤色光エミッタ、緑色光エミッタ又は青色光エミッタを備えることを特徴とする、請求項１に記載のディスプレイアセンブリ。
【請求項７】
前記複数の発光ユニットのそれぞれは、１つ又は複数の発光体サブユニットを備え、該１つ又は複数の発光体サブユニットのそれぞれは、赤色光エミッタ、緑色光エミッタ及び青色光エミッタを備えることを特徴とする、請求項１に記載のディスプレイアセンブリ。
【請求項８】
前記複数の発光ユニットのうちの１つは、１個〜６個の発光体サブユニットを備えることを特徴とする、請求項７に記載のディスプレイアセンブリ。
【請求項９】
前記トランジスタユニットは、対応する発光ユニットと前記基板との間に設けられることを特徴とする、請求項１に記載のディスプレイアセンブリ。
【請求項１０】
前記トランジスタユニット及び前記対応する発光ユニットは同じ平面にあることを特徴とする、請求項１に記載のディスプレイアセンブリ。
【請求項１１】
前記トランジスタユニットは薄膜トランジスタであることを特徴とする、請求項１に記載のディスプレイアセンブリ。
【請求項１２】
有機発光ダイオード、マイクロ発光ダイオード、量子ドット発光体又はレーザアクティブ光源をさらに備える、請求項１に記載のディスプレイアセンブリ。
【請求項１３】
請求項１に記載の前記ディスプレイアセンブリ及びコリメートアセンブリを備えるディスプレイ装置であって、
前記コリメートアセンブリは複数のコリメートユニットを備え、
該複数のコリメートユニットは、直径を有する円の形状を有し、
前記直径は、第２の閾値長さの少なくとも２倍であり、
前記複数のコリメートユニットのそれぞれの間の間隔は少なくとも４００ｎｍであることを特徴とする、
ディスプレイ装置。
【請求項１４】
前記複数の発光ユニットは矩形の形状を有し、前記矩形は第１の辺及び第２の辺を含み、前記第１の辺は前記第２の辺よりも小さいか又は等しく、前記第２の閾値長さは前記第１の辺の長さに等しいことを特徴とする、請求項１３に記載のディスプレイ装置。
【請求項１５】
前記複数の発光ユニットは、直径を有する円の形状を有し、前記第２の閾値長さは前記直径の長さに等しいことを特徴とする、請求項１３に記載のディスプレイ装置。
【請求項１６】
前記複数の発光ユニットは、対称軸を有する多角形の形状を有し、前記第２の閾値長さは、前記対称軸の長さに等しいことを特徴とする、請求項１３に記載のディスプレイ装置。
【請求項１７】
前記ディスプレイアセンブリ内の前記トランジスタユニットは薄膜トランジスタであることを特徴とする、請求項１３に記載のディスプレイ装置。
【請求項１８】
前記ディスプレイアセンブリは、有機発光ダイオード、マイクロ発光ダイオード、量子ドット発光体又はレーザアクティブ光源であることを特徴とする、請求項１３に記載のディスプレイ装置。
【請求項１９】
前記コリメートアセンブリは、コリメート光の方向を変える手段をさらに備えることを特徴とする、請求項１３に記載のディスプレイ装置。
【請求項２０】
前記複数のコリメートユニットはレンズ又は液晶空間光変調器であることを特徴とする、請求項１３に記載のディスプレイ装置。
【請求項２１】
前記レンズはマイクロレンズ又は平坦なメタレンズであることを特徴とする、請求項２０に記載のディスプレイ装置。
【請求項２２】
前記複数のコリメートユニットは曲面を有することを特徴とする、請求項１３に記載のディスプレイ装置。
【請求項２３】
前記曲面は球面又は非球面であることを特徴とする、請求項２２に記載のディスプレイ装置。
【請求項２４】
前記ディスプレイ装置は透明なディスプレイ又は不透明なディスプレイであることを特徴とする、請求項１３に記載のディスプレイ装置。
【請求項２５】
前記ディスプレイ装置はニアアイディスプレイであることを特徴とする、請求項１３に記載のディスプレイ装置。
【発明の詳細な説明】
【技術分野】
【０００１】
本発明は、ディスプレイアセンブリに関し、より詳細には、ディスプレイアセンブリを備えるディスプレイ装置に関する。
【背景技術】
【０００２】
リアルタイム情報に対する需要が高まるにつれて、オンデマンドデータ伝送の重要性も高まる。ニアアイディスプレイ（ＮＥＤ）は他の装置に容易に組み込みでき、画像、色、テキスト及び／又は音データをいつでも伝送できる。したがって、これは、携帯用情報装置又はオンデマンドデータ伝送目的における基本的な選択肢である。ニアアイディスプレイは多くの場合、過去においては軍用又は政府使用のために実装されていた。現在では、ニアアイディスプレイ産業は、消費者分野における拡大を求めている。一方で、エンターテインメント産業も、ニアアイディスプレイ市場に可能性を見ており、例えば、家庭のエンターテインメントシステム及びゲームソフトウェア開発者らは、ニアアイディスプレイの研究及び開発に尽力している。
【０００３】
現在では、典型的なニアアイディスプレイは、画像をユーザの目に直接的に投影できるヘッドマウントディスプレイ（ＨＭＤ）を含む。このタイプのディスプレイは、モバイル装置におけるディスプレイの欠点を克服するために、より大きいディスプレイをエミュレートできる。ヘッドマウントディスプレイは、バーチャルリアリティ又は拡張現実用途にも適用できる。
【０００４】
ニアアイディスプレイは、２つのタイプ、没入型ディスプレイ及びシースルーディスプレイにさらに分類できる。バーチャルリアリティ（ＶＲ）環境においては、没入型ディスプレイは、合成画像がユーザの視野を完全にカバーすることを可能にするように実装できる。拡張現実（ＡＲ）環境においては、シースルーディスプレイが実装され、したがって、テキスト、注記又は画像を現実の画像に重ねることが可能である。拡張現実ディスプレイ技術の分野においては、透明なパネル（光学又は電気光学手段によって実装される）が、シースルーディスプレイにおいて多くの場合に使用される。これは、ニアアイディスプレイのユーザが、仮想画像及び現実画像の双方を同時に見ることを可能にする。
【０００５】
しかし、ヒトの目は、非常に近い距離に置かれたオブジェクトに焦点を当てることができないため（例えば、ユーザが眼鏡を装着し、読み取りの補助として拡大鏡を使用しているとき、拡大鏡及び眼鏡の範囲内の距離は「近距離」であると考えられる）、したがって、ニアアイディスプレイは、画像が焦点から外れることを回避することによってユーザに快適な使用経験を提供するために、校正及び調整する必要がある。
従来のニアアイディスプレイは、画像の焦点を調整するために複雑で重い光学アセンブリに依拠しているが、ニアアイディスプレイは通常はユーザの頭に装着されるため、より重いニアアイディスプレイは多くの場合に、ユーザによって許容可能ではない。
【０００６】
上述した欠点を克服するために、少なくとも２つの別個のピクセルによって放出される少なくとも２つの光線を交差させて焦点を合わせ、クリアな画像を生成することを可能にできれば、重い光学アセンブリはもはや必要ではなく、さらに、光学アセンブリから生じる製造コストが排除される。
【発明の概要】
【発明が解決しようとする課題】
【０００７】
本発明の目的は、シースルーディスプレイ装置を製造するための、ニアアイディスプレイ用の有利なディスプレイアセンブリを提供することである。
【課題を解決するための手段】
【０００８】
上述した目的を達成するために、本発明は、基板、複数の発光ユニット、並びに、発光ユニットのそれぞれに対応するトランジスタユニット及びコンデンサユニットを備えるディスプレイアセンブリを提供する。発光ユニット並びに対応するトランジスタユニット及びコンデンサユニットのそれぞれは、基板の面に独立して設けられる。また、発光ユニットのそれぞれは、対応するトランジスタユニット及びコンデンサユニットに電気的に結合される。発光ユニットのそれぞれの間の間隔は、第１の閾値長さの少なくとも２倍である。
【０００９】
本発明において使用される「独立して設けられる」という語句は、複数の発光ユニットが発光体のみを備えるが、トランジスタ又はコンデンサ等のような、発光体を遮る他のパーツを備えないことを意味する。
【００１０】
従来技術におけるディスプレイアセンブリは、ピクセルから構成されるアセンブリである。ピクセルは、発光体、トランジスタ、コンデンサ等をそれぞれ備えることが可能である。トランジスタ及びコンデンサは、発光体を部分的に遮り、発光効率を低下させる可能性がある。この理由に基づいて、本発明における発光ユニットは独立して設けられる。
本発明の発光ユニットは、従来技術に比して、同じ面積を有する従来技術の発光体と比較してより高い発光効率を有する。その結果、発光ユニットの面積を、従来技術に比して低減できる。
【００１１】
本発明の幾つかの実施形態では、ディスプレイアセンブリ内の発光ユニットのそれぞれは、赤色光エミッタ、緑色光エミッタ及び青色光エミッタをそれぞれ備える。本発明の幾つかの実施形態では、ディスプレイアセンブリ内の発光ユニットは、１つ又は複数の発光体サブユニットをそれぞれ備え、発光体サブユニットのそれぞれは、赤色光発光体、緑色光発光体及び青色光発光体を備える。
【００１２】
本発明の幾つかの実施形態では、ディスプレイアセンブリ内の発光ユニットは、１個〜６個の発光体サブユニットを備える。本発明の幾つかの実施形態では、ディスプレイアセンブリ内の発光ユニットは、２個〜４個の発光体サブユニットを備える。
【００１３】
本発明の幾つかの実施形態では、ディスプレイアセンブリ内の発光ユニットのそれぞれの面積は、従来技術におけるピクセルの面積よりも小さく（最小で６．３×６．３μｍ２）、面積の差は、少なくとも２倍又は数十倍である。本発明の幾つかの実施形態では、ディスプレイアセンブリ内の発光体サブユニットのそれぞれの面積は、１×１μｍ２よりも小さい。
【００１４】
本発明の幾つかの実施形態では、ディスプレイアセンブリ内の発光ユニットのそれぞれの間の間隔は、第１の閾値長さの２倍〜１０００倍である。本発明の幾つかの実施形態では、ディスプレイアセンブリ内の発光ユニットのそれぞれの間の間隔は、第１の閾値長さの２倍、３倍、４倍、５倍、６倍、７倍、８倍、９倍、１０倍、１１倍、１２倍、１３倍、１４倍、１５倍、２０倍、２５倍、５０倍、１００倍、１５０倍、２００倍、２５０倍、３００倍、４００倍、５００倍、６００倍、７００倍、８００倍、９００倍又は１０００倍である。
【００１５】
本発明の幾つかの実施形態では、ディスプレイアセンブリ内の発光ユニットのうちのいずれか１つは、矩形の形状を有し、矩形は第１の辺及び第２の辺を有し、第１の辺は第２の辺よりも小さいか又は等しく、第１の閾値長さは第１の辺の長さに等しい。
【００１６】
本発明の幾つかの実施形態では、ディスプレイアセンブリ内の発光ユニットのうちのいずれか１つは、円の形状を有し、円は直径を有し、第１の閾値長さはこの直径に等しい。
【００１７】
本発明の幾つかの実施形態では、ディスプレイアセンブリ内の発光ユニットのうちのいずれか１つは、多角形の形状を有し、多角形は対称軸を有し、第１の閾値長さは対称軸の長さに等しい。本発明の幾つかの実施形態では、多角形は正多角形である。本発明の幾つかの実施形態では、正多角形は正六角形である。
【００１８】
本発明の幾つかの実施形態では、ディスプレイアセンブリ内の発光ユニットのうちのいずれか１つは、矩形、円及び／又は多角形の形状を有し、矩形は第１の辺及び第２の辺を有し、第１の辺は第２の辺よりも小さいか又は等しく、円は直径を有し、多角形は対称軸を有し、第１の閾値長さは、第１の辺、直径及び対称軸の長さの最も短いものに等しい。
【００１９】
本発明の幾つかの実施形態では、基板は透明基板である。本発明の幾つかの実施形態では、透明基板はガラス基板である。
【００２０】
本発明の幾つかの実施形態では、ディスプレイアセンブリ内のトランジスタユニットは薄膜トランジスタである。
【００２１】
本発明の幾つかの実施形態では、電気的な接続は金属接続である。本発明の幾つかの実施形態では、金属接続は伝導接続である。
【００２２】
本発明の幾つかの実施形態では、ディスプレイアセンブリは、自己発光ディスプレイアセンブリであり、本発明の幾つかの実施形態では、自己発光ディスプレイアセンブリは、有機発光ダイオード（ＯＬＥＤ）、マイクロ発光ダイオード（マイクロＬＥＤ）、量子ドット発光体又はレーザアクティブ光源等のアクティブ光源を備える。
【００２３】
本発明の幾つかの実施形態では、ディスプレイアセンブリ内のトランジスタユニットは、発光ユニットと基板との間に設けられる。本発明の幾つかの実施形態では、ディスプレイアセンブリ内のトランジスタユニット及び対応する発光ユニットは同じ平面にある。
【００２４】
本発明の幾つかの実施形態では、ディスプレイアセンブリは、１つ又は複数のセンサをさらに備える。
【００２５】
本発明は、ディスプレイアセンブリに加えて、ディスプレイ装置をさらに提供し、ディスプレイ装置はコリメートアセンブリをさらに備え、コリメートアセンブリは１つ又は複数のコリメートユニットを備える。コリメートユニットのうちのいずれか１つは、直径を有する円の形状を有する。直径は、第２の閾値長さの少なくとも２倍であり、コリメートユニットのそれぞれの間の間隔は少なくとも４００ｎｍである。
【００２６】
本発明の幾つかの実施形態では、コリメートアセンブリ内のコリメートユニットの直径のそれぞれは、第２の閾値長さの２倍、３倍、４倍、５倍、６倍、７倍、８倍、９倍、１０倍、１１倍、１２倍、１３倍、１４倍、１５倍、２０倍、５０倍、１００倍、１５０倍又は２００倍である。
【００２７】
本発明の幾つかの実施形態では、ディスプレイ装置内の発光ユニットのうちのいずれか１つは、矩形の形状を有し、矩形は第１の辺及び第２の辺を有し、第１の辺は第２の辺よりも小さいか又は等しく、第２の閾値長さは第１の辺の長さに等しい。
【００２８】
本発明の幾つかの実施形態では、ディスプレイ装置内の発光ユニットのうちのいずれか１つは、円の形状を有し、円は直径を有し、第２の閾値長さはこの直径に等しい。
【００２９】
本発明の幾つかの実施形態では、ディスプレイ装置内の発光ユニットのうちのいずれか１つは、多角形の形状を有し、多角形は対称軸を有し、第２の閾値長さは、対称軸の長さに等しい。本発明の幾つかの実施形態では、多角形は正多角形である。本発明の幾つかの実施形態では、正多角形は正六角形である。
【００３０】
本発明の幾つかの実施形態では、ディスプレイ装置内のトランジスタユニットは薄膜トランジスタである。
【００３１】
本発明の幾つかの実施形態では、ディスプレイ装置内のディスプレイアセンブリは、自己発光ディスプレイアセンブリであり、本発明の幾つかの実施形態では、自己発光ディスプレイアセンブリは、有機発光ダイオード（ＯＬＥＤ）、マイクロ発光ダイオード（マイクロＬＥＤ）、量子ドット発光体又はレーザアクティブ光源等のアクティブ光源を備える。
【００３２】
本発明の幾つかの実施形態では、ディスプレイ装置内のコリメートアセンブリは、コリメート光の方向をさらに調整可能である。
【００３３】
本発明の幾つかの実施形態では、ディスプレイ装置内のコリメートユニットのうちのいずれか１つは、レンズ又は液晶空間光変調器（ＬＣＳＬＭ）である。本発明の幾つかの実施形態では、レンズはマイクロレンズ又は平坦なメタレンズである。本発明の幾つかの実施形態では、レンズは、凹レンズ又は凸レンズである。
【００３４】
本発明の幾つかの実施形態では、マイクロレンズは、ディスプレイアセンブリ内の少なくとも１つの発光ユニットから放出された光の方向をコリメートするとともに、少なくとも２つのコリメートされた光線を方向付けし直して互いに交差させて焦点を合わせるという役割を果たす。
【００３５】
本発明の幾つかの実施形態では、平坦なメタレンズは、光を屈折させるとともに、コリメートされた光の方向を変える機能を有するナノメートルスケールの凹凸を有するメタ表面である。その結果、平坦なメタレンズは、ジオプトリに等しい機能及び光をコリメートするという機能を有する。平坦なメタレンズは、２つのコリメートされた光線が交差して焦点を合わせることを可能にするように、凹凸を含む複数のエリアを備える。本発明の幾つかの実施形態では、平坦なメタレンズは、２つのコリメートされた光線が異なる位置で交差することを可能にするように、凹凸を有する２つの別個のエリアを備え、したがって、複数の被写界深度を有する画像を形成する。本発明の幾つかの実施形態では、平坦なメタレンズは、少なくとも２つのコリメートされた光線が異なる位置で交差することを可能にし、したがって、凹凸を有する同じか又は異なるエリアを使用することによって、複数の被写界深度を有する画像を形成する。
【００３６】
本発明の幾つかの実施形態では、液晶空間光変調器は、複数の液晶セルを備え、液晶セル内の液晶の位置合わせは、液晶セルに印加される電圧を変化させることによって調節でき、それによって、少なくとも２つのコリメートされた光線が互いに交差して焦点を合わせることが可能であるように、発光ユニットのそれぞれによる発光がコリメートされて方向付けし直されるようにする。本発明の幾つかの実施形態では、液晶空間光変調器は、少なくとも２つの液晶セルの駆動電圧を変更可能であり、少なくとも２つの液晶セルを通過する少なくとも２つのコリメートされた光線が、異なる位置で別の光線と交差することを可能にし、複数の被写界深度を有する画像を形成する。本発明の幾つかの実施形態では、液晶空間光変調器は、少なくとも異なる液晶セルの駆動電圧を変更可能であり、それによって、少なくとも２つのコリメートされた光線は異なる位置で交差でき、したがって、複数の被写界深度を有する画像を形成する。
【００３７】
本発明の幾つかの実施形態では、ディスプレイ装置内のコリメートユニットは曲面を有する。本発明の幾つかの実施形態では、ディスプレイ装置における曲面は、球面又は非球面である。
【００３８】
本発明の幾つかの実施形態では、ディスプレイ装置内のコリメートユニットの曲面は、球面の一部である。上述した球面は、発光ユニットのうちのいずれか１つの長さの２倍、３倍、４倍、５倍、６倍、７倍、８倍、９倍、１０倍、１５倍、１６倍、１７倍、１８倍、１９倍又は２０倍の直径を有する。本発明の幾つかの実施形態では、球面の上述した直径は、発光ユニットのうちのいずれか１つの長さの１０倍である。
【００３９】
本発明の幾つかの実施形態では、ディスプレイ装置は、透明なディスプレイ又は不透明なディスプレイである。
【００４０】
本発明の幾つかの実施形態では、ディスプレイ装置はニアアイディスプレイである。本発明の幾つかの実施形態では、ディスプレイ装置は、複数の被写界深度を有する画像を生成可能なニアアイディスプレイである。ディスプレイ装置は、自己発光ディスプレイアセンブリ上の発光ユニットを介してコリメートアセンブリに光を投影できるため、コリメートアセンブリを通過する光をコリメートし、コリメートされた光を形成できる。また、少なくとも２つの発光ユニットからのコリメートされた光の方向は、異なる位置で交差できるように変更でき、複数の被写界深度を有する画像を形成できる。
【００４１】
本発明によると、以下の技術的な効果を達成できる。
１．本発明の実施形態では、ディスプレイアセンブリ内の発光ユニット及びトランジスタユニットは独立して設けられ、発光効率を最大限にでき、発光体サブユニットの面積を、従来技術におけるピクセルの面積の半分又はさらには１０分の１に低減できる。この特徴は、透明なディスプレイ及びニアアイディスプレイに有利である。
２．本発明の実施形態では、ディスプレイ装置内のコリメートアセンブリは、ディスプレイアセンブリに適合するように提供され、これも、透明なディスプレイ及びニアアイディスプレイに有利である。
【図面の簡単な説明】
【００４２】
【図１Ａ】従来技術のディスプレイアセンブリの対応するトランジスタ及びコンデンサを有する発光体の概略図である。
【図１Ｂ】本発明の実施形態によるディスプレイアセンブリの対応するトランジスタユニット及びコンデンサユニットを有する発光ユニットの概略図である。
【図２Ａ】本発明の実施形態による発光ユニットの概略図である。
【図２Ｂ】本発明の実施形態による複数の発光体サブユニットを有する発光ユニットの概略図である。
【図３Ａ】本発明の実施形態によるディスプレイアセンブリの概略図である。
【図３Ｂ】本発明の実施形態によるコリメートアセンブリの概略図である。
【図３Ｃ】本発明の実施形態によるディスプレイアセンブリ及びコリメートアセンブリの概略図である。
【発明を実施するための形態】
【００４３】
ここで、添付の図面を参照して、本発明の実施形態を専ら例として説明する。
【００４４】
図１Ａは、従来技術によるディスプレイアセンブリピクセル１内の発光体１１、トランジスタ１２及びコンデンサ１３を示している。発光体１１、トランジスタ１２及びコンデンサ１３が集積して設けられると、発光体１１は、トランジスタ１２及びコンデンサ１３によって部分的に遮られる。
【００４５】
図１Ｂは、本発明の実施形態によるディスプレイアセンブリ２の対応するトランジスタユニット２２及びコンデンサユニット２３を有する複数の発光ユニット２１を示しており、この場合、発光ユニット２１、トランジスタユニット２２及びコンデンサユニット２３は、基板２０の面に独立して設けられる。発光ユニット２１、トランジスタユニット２２及びコンデンサユニット２３は、導体２４に接続されている。発光ユニット２１、トランジスタユニット２２及びコンデンサユニット２３は同じ平面にある。図１Ｂにおける点線のエリアは、図１Ａにおけるピクセル１に対応するエリアを示している。比較のために、従来技術におけるピクセルに比して、本発明のディスプレイアセンブリ２内の発光ユニット２１の発光効率は大きく高まり、一方で、発光ユニット２１のエリアを劇的に最小化できる。
【００４６】
図２Ａは、本発明の実施形態による発光ユニット２１の概略図である。この実施形態では、発光ユニット２１は矩形の形状を有し、矩形の形状は、第１の辺ｄ１及び第２の辺ｄ２を有し、第１の辺ｄ１は、第２の辺ｄ２よりも小さいか又は等しい。また、発光ユニット２１のそれぞれの間の間隔Ｌ１は、第１の辺ｄ１の少なくとも２倍である（Ｌ１≧２ｄ１）。
【００４７】
図２Ｂは、本発明の実施形態による発光ユニット２１の概略図であり、発光ユニット２１のそれぞれは、４つの発光体サブユニット２５を備え、発光体サブユニット２５のそれぞれは、赤色光（Ｒ）エミッタ、緑色光（Ｇ）エミッタ及び青色光（Ｂ）エミッタを備える。図２Ｂにおいて示されている配置順は、実施形態の一例に過ぎず、発光ユニット２１は、異なる数の発光体サブユニット２５を備えることが可能である。
【００４８】
図３Ａは、ディスプレイ装置４のディスプレイアセンブリ２の概略図である。ディスプレイアセンブリ２は複数の発光ユニット２１を備える。図３Ｂは、ディスプレイアセンブリ２内のコリメートアセンブリ３の概略図である。コリメートアセンブリ３は複数のコリメートユニット３１を備え、発光ユニット２１のそれぞれは、対応するコリメートユニット３１を備える。
図３Ｃは、図３Ａ及び図３Ｂの組み合わせの概略図である。コリメートユニット３１の各直径は、発光ユニット２１の第１の辺ｄ１の長さの少なくとも２倍であり、コリメートユニット３１のそれぞれの間の間隔Ｌ２は少なくとも４００ｎｍである。
【００４９】
説明のため、本発明の特定の実施形態を詳細に記載したが、本発明の主旨及び範囲から逸脱することなく、種々の変更及び改良を行うことが可能である。したがって、本発明は、添付の特許請求の範囲以外によっては限定されない。
【図１Ａ】
2021520523.tif 000003
【図１Ｂ】
2021520523.tif 000004
【図２Ａ】
2021520523.tif 000005
【図２Ｂ】
2021520523.tif 000006
【図３Ａ】
2021520523.tif 000007
【図３Ｂ】
2021520523.tif 000008
【図３Ｃ】
2021520523.tif 000009
【国際調査報告】
2021520523.tif 000010
2021520523.tif 000011
2021520523.tif 000012
2021520523.tif 000013